(57)【特許請求の範囲】
【請求項１】
略筒状のセードと、
前記セードの内部に配置される光源と、
前記光源が取り付けられる取付部を有し、前記セードの内部空間を仕切る本体と、
前記光源からの光が入射される入射開口部、及び、前記入射開口部に入射された光を出射する出射開口部を備える略筒状の反射部材と、
前記取付部に立設され、前記光源及び前記入射開口部の周囲を囲む遮光壁部とを備え、
前記本体と前記遮光壁部とは、一体的に形成されている
照明器具。
【請求項２】
前記光源の光軸方向において、前記遮光壁部の先端は、前記入射開口部より、前記光源から離れた位置に配置されている
請求項１に記載の照明器具。
【請求項３】
前記遮光壁部の先端面は、前記反射部材の外面の形状に沿って傾斜している
請求項１又は２に記載の照明器具。
【請求項４】
前記遮光壁部は、前記本体と前記セードとの接続部より前記光源寄りに配置されている
請求項１〜３のいずれか１項に記載の照明器具。
【請求項５】
前記遮光壁部の先端と前記反射部材の外面との距離は、１ｍｍ以下である
請求項１〜４のいずれか１項に記載の照明器具。
【発明の詳細な説明】
【技術分野】
【０００１】
本発明は、出射光の配光を制御する照明器具に関する。
【背景技術】
【０００２】
従来の照明器具、例えばスポットライト用の照明器具では、光を出射する開口部を有する灯体と、灯体の内部に取り付けられた光源と、光源からの出射光の配光を制御する反射部材と、反射部材からの光が入射されるレンズとを備えている（例えば、特許文献１）。
【０００３】
特許文献１に開示された照明器具では、光源から出射された光が効率よくレンズに入射されるように、反射部材によって配光を制御している。
【先行技術文献】
【特許文献】
【０００４】
【特許文献１】特開２０１５−０８８３４９号公報
【発明の概要】
【発明が解決しようとする課題】
【０００５】
特許文献１に開示された照明器具において、光源と反射部材との間隔はできるだけ狭い方が、光源からの光を効率よく利用できる。しかしながら、実際には、樹脂などで形成される反射部材を光源に接触させることによって、光源が損傷すること、反射部材が光源からの熱の影響によって劣化することなどの問題が発生し得る。また、反射部材の表面にアルミニウムなどの金属膜を設ける場合には、光源で用いられる導電性部材との絶縁を確保する必要があるため、絶縁の確保に十分な距離を反射部材と光源との間に設けなければならない。さらに、反射部材の寸法に製造誤差があるため、当該製造誤差も考慮して、光源と反射部材との間に隙間を設ける必要がある。このように、光源と反射部材との隙間を設ける場合には、光源からの光の一部が、反射部材と光源との隙間から漏れ、照明器具の灯体の隙間などから漏れ光として漏れ出ることがある。このような漏れ光は、照明器具が美術館などの暗所で、空間演出のために用いられる場合に特に問題となる。すなわち、そのような漏れ光が、空間演出上、照明すべきでない領域を照明し、空間演出を阻害する。
【０００６】
そこで、本発明は、光漏れを抑制できる照明器具を提供する。
【課題を解決するための手段】
【０００７】
上記課題を解決するために、本発明に係る照明器具の一態様は、略筒状のセードと、前記セードの内部に配置される光源と、前記光源が取り付けられる取付部を有し、前記セードの内部空間を仕切る本体と、前記光源からの光が入射される入射開口部、及び、前記入射開口部に入射された光を出射する出射開口部を備える略筒状の反射部材と、前記取付部に立設され、前記光源及び前記入射開口部の周囲を囲む遮光壁部とを備える。
【発明の効果】
【０００８】
本発明によれば、光漏れを抑制できる照明器具を提供することができる。
【図面の簡単な説明】
【０００９】
【図１】図１は、実施の形態に係る照明器具の外観を示す斜視図である。
【図２】図２は、実施の形態に係る照明器具の一部分解斜視図である。
【図３】図３は、実施の形態に係る照明器具の一部分解斜視図である。
【図４】図４は、実施の形態に係る照明器具の断面図である。
【図５】図５は、実施の形態に係る照明器具の断面図である。
【図６】図６は、実施の形態に係る本体の外観斜視図である。
【図７】図７は、図４の一部を拡大した要部断面図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態）
［１．構成］
まず、実施の形態に係る照明器具の構成について説明する。
【００１３】
図１は、本実施の形態に係る照明器具１の外観を示す斜視図である。
【００１４】
図２は、本実施の形態に係る照明器具１の一部分解斜視図である。図２では、照明器具１のうち、反射部材４０、光学部材５０及び光制御部材６０が分解されて示されている。
【００１５】
図３は、本実施の形態に係る照明器具１の一部分解斜視図である。図３では、照明器具１のうち、反射部材４０、光学部材５０及び光制御部材６０以外の部分が分解されて示されている。
【００１６】
図４は、本実施の形態に係る照明器具１の断面図である。図４は光軸Ｊを通り、図のｚｘ平面に平行な断面における照明器具１の断面図を示す。
【００１７】
図５は、本実施の形態に係る照明器具１の断面図である。図５は光軸Ｊを通り、図のｙｚ平面に平行な断面における照明器具１の断面図を示す。
【００１８】
図１に示されるように、照明器具１は、スポットライトであり、灯体５、アーム７０及び電源ボックス９０を備える。灯体５は、図２及び図４に示されるように、セード１０と、セード１０内に配置される反射部材４０、光学部材５０及び光制御部材６０を備える。図３に示されるように、セード１０内には、さらに、本体２０、光源３０、取付部材３２、接続部材３６、及び板ばね８０が配置される。以下、照明器具１の各構成要素について説明する。
【００１９】
［１−１．セード］
セード１０は、図４に示されるように、光源３０が内部に配置される略筒状の部材である。本実施の形態では、セード１０は、光源３０からの光を外部に出射する略円筒状の筒体である。セード１０は、図５に示されるように、後方開口部１１０、前方開口部１２０及び側方開口部１３０を備える（前方開口部１２０及び側方開口部１３０については、図３参照）。後方開口部１１０は、セード１０の後方（すなわち、各図のｚ軸方向負側）に位置する開口部である。前方開口部１２０は、セード１０の前方（すなわち、各図のｚ軸方向正側）に位置する開口部である。側方開口部１３０は、セード１０の側面後方に設けられたスリット状の開口部であり、アーム７０が配置される。
【００２０】
図４に示されるように、セード１０の内部には、光源３０に加えて、本体２０、反射部材４０、光学部材５０、光制御部材６０などが配置される。
【００２１】
図４に示されるように、セード１０の前方開口部１２０付近の内面には、第一係止部１４０が設けられている。本実施の形態では、第一係止部１４０は凹状の形状を有し、光制御部材６０に設けられた第一被係止部６６０を係止する。
【００２２】
図４に示されるように、セード１０の内部には、固定部１５０が設けられている。固定部１５０には、本体２０が取り付けられる。
【００２３】
セード１０は、金属材料で形成される。本実施の形態では、セード１０は、例えばアルミダイカスト工程を経て形成される。セード１０の外表面の塗装色は、照明器具１の用途などに応じて選択されてよい。本実施の形態では、セード１０は白色に塗装される。
【００２４】
［１−２．本体］
本体２０は、図５に示されるように、光源３０が取り付けられる取付部２１０を有し、セード１０の内部空間を仕切る部材である。本実施の形態では、本体２０には、アーム７０も取り付けられる。また、本体２０は、光源３０から発生した熱を放熱するヒートシンクとしても機能する。以下、図３〜図５に加えて図６を用いて、本体２０について詳細に説明する。
【００２５】
図６は、本実施の形態に係る本体２０の外観斜視図である。
【００２６】
図６に示されるように、本体２０は、前方側（図６のｚ軸方向正側）に、取付部２１０、挿通孔２１２、遮光壁部２２０及び鍔部２３０を備える。取付部２１０は、図５に示されるように、光源３０が取り付けられる部分である。取付部２１０は、光源３０を取り付けるための平坦な面を含み、光源３０から発生する熱が効率よく本体２０に伝導される。挿通孔２１２は、図５に示されるように、光源３０に電力を供給するためのリード線９２が挿通される孔である。挿通孔２１２の内径は、リード線９２の外径と略同じである。これにより、挿通孔２１２から、本体２０の後方（ｚ軸方向負側）に光が漏れることが抑制される。
【００２７】
遮光壁部２２０は、図５に示されるように、取付部２１０に立設され、光源３０及び反射部材４０の入射開口部４２０の周囲を囲む部分である。本実施の形態では、遮光壁部２２０は、本体２０の取付部２１０から前方（ｚ軸方向正側）に向かって延び、かつ、光源３０の周囲を囲む。遮光壁部２２０は、光源３０から出射された光のうち、反射部材４０と本体２０（又は、光源３０）との隙間から洩れた一部の光が、本体２０の後方（すなわち、ｚ軸方向負側）、及び、反射部材４０とセード１０との間に漏れることを抑制する。
【００２８】
鍔部２３０は、図４に示されるように、本体２０をセード１０に取り付けるための部分である。鍔部２３０には、図３に示されるように、二つの凹部２３２が設けられている。図３に示されるねじ２６が、二つの凹部２３２のそれぞれを介して、セード１０の内面の固定部１５０に設けられたねじ穴に捻じ込まれることによって、本体２０がセード１０に取り付けられる。また、図４に示されるように、鍔部２３０が、本体２０の固定部１５０と当接することによって、鍔部２３０と固定部１５０との隙間から光が後方に漏れることを抑制する。
【００２９】
図６に示されるように、本体２０は、後方側に、放熱部２４０を備える。放熱部２４０は、光源３０から発生した熱を放熱するための部分である。放熱部２４０は、アーム支持部２４２を備える。アーム支持部２４２は、アーム７０を支持する部分である。本実施の形態では、アーム支持部２４２の横断面の形状は、略半円形状であり、アーム７０の他端部７４の形状に対応している。また、図４及び図５に示されるように、本体２０は、挿通路２４６を備える。挿通路２４６は、本体２０を貫通し、リード線９２が挿通される部分である。本実施の形態では、挿通路２４６は、アーム支持部２４２から見て光源３０の光軸Ｊに略垂直な方向（図のｙ軸方向）に配置される貫通孔である。図５に示されるように、挿通路２４６は、アーム支持部２４２から光軸Ｊに略垂直な方向に延び、本体２０のｙ軸方向負側（図５における下側）において、光軸Ｊ方向に内径が徐々に拡大されている。挿通路２４６のアーム７０側の開口部２４４は、アーム７０の他端部７４と対向する位置に配置される。本体２０の挿通路２４６及び本体２０の周辺におけるリード線９２の配線については、後述する。
【００３０】
なお、本実施の形態では挿通路２４６は、光軸Ｊに略垂直な方向に延びる貫通孔であるが、挿通路２４６の構成はこれに限定されない。挿通路２４６は、屈曲または湾曲していてもよいし、光軸Ｊと垂直でなくてもよい。また、挿通路２４６は、光軸Ｊ付近を通らなくてもよい。
【００３１】
本体２０は、金属材料で形成される。本実施の形態では、本体２０は、例えばアルミダイカスト工程を経て形成される。
【００３２】
［１−３．光源］
光源３０は、セード１０の内部に配置され、照明器具１の出射光となる光を出射する光源である。本実施の形態では、光源３０は、ＬＥＤ（Ｌｉｇｈｔ  Ｅｍｉｔｔｉｎｇ  Ｄｉｏｄｅ）を有する発光モジュールであって、所定の光を放射状に出射するＬＥＤ光源である。光源３０は、例えば白色光を出射するように構成されている。光源３０は、ＣＯＢ（Ｃｈｉｐ  Ｏｎ  Ｂｏａｒｄ）型ＬＥＤで構成され、図３に示されるように、基台３０２と、基台３０２上に実装されたベアチップ（ＬＥＤチップ）である複数のＬＥＤ３０４と、それらＬＥＤ３０４を封止し、蛍光体を含む封止部材とを備える。なお、本実施の形態では、封止部材は全てのＬＥＤ３０４を一括封止しているが、封止部材の構成はこれに限られない。ライン状に配列されたＬＥＤ３０４の配列方向に沿って複数本のライン状に封止部材を形成する構成としてもよい。
【００３３】
光源３０は、図５に示されるように、本体２０の取付部２１０に取り付けられる。各図に示される照明器具１において、光源３０の光軸Ｊは各図のｚ軸方向である。
【００３４】
基台３０２は、複数のＬＥＤ３０４を実装するための実装基板であって、例えばセラミックス基板、樹脂基板又は絶縁被覆されたメタルベース基板などである。また、基台３０２は、例えば平面視において矩形である平面を有する板状であり、基台３０２の底面（図３のｚ軸方向負側）が本体２０の取付部２１０に取り付けられて固定される。なお、図示しないが、基台３０２には、ＬＥＤ３０４（光源３０）を発光させるための直流電力を外部から受電するための一対の電極端子（正電極端子及び負電極端子）が形成されている。
【００３５】
［１−４．取付部材］
取付部材３２は、光源３０を本体２０に取り付けるための部材である。図３に示されるように、取付部材３２は、規制部３２２及び第二係止部３２４を備える。
【００３６】
規制部３２２は、光源３０の光軸Ｊに垂直な方向（ｘ軸方向及びｙ軸方向）の位置を規制する。規制部３２２は、中央に開口部を有する矩形枠状の形状を有する。規制部３２２の中央に形成された開口部は、光源３０に対応する形状を有し、当該開口部に光源３０が配置される。取付部材３２は、本体２０の取付部２１０に配置され、接続部材３６及びねじ３８によって、本体２０に固定される。より具体的には、取付部材３２の規制部３２２には、貫通孔３２６が形成されており、ねじ３８を、貫通孔３２６を介して本体２０に形成されたねじ穴に捻じ込むことにより、取付部材３２が本体２０に対して固定される。これにより、取付部材３２及びその開口部に配置された光源３０が本体２０に固定される。
【００３７】
第二係止部３２４は、反射部材４０を支持するため爪状の部分であり、図４に示されるように、反射部材４０の第二被係止部４４０を係止する。本実施の形態では、取付部材３２は、二つの第二係止部３２４を備える。第二係止部３２４は、略Ｌ字型の形状を有しており、第二係止部３２４の端部の光軸Ｊから離れる向き突出した傾斜面（突起）が、第二被係止部４４０に挿入されることにより、第二係止部３２４が第二被係止部４４０を係止する。
【００３８】
取付部材３２は、例えば、ポリブチレンテレフタレート（ＰＢＴ）、ポリカーボネートなどの樹脂材料を用いて形成することができる。
【００３９】
［１−５．接続部材］
接続部材３６は、光源３０へ電流を供給する配線（図示せず）が接続される部材である。本実施の形態に係る照明器具１は、図３に示されるように、二つの接続部材３６を備え、一方の接続部材３６に高電位側の配線が、他方の接続部材３６に低電位側の配線が、それぞれ接続される。接続部材３６には、光源３０へ電流を供給する電極（不図示）が設けられている。当該電極が光源３０に形成された電極端子に接続される。
【００４０】
また、接続部材３６は、光源３０の位置を規制する機能も有する。接続部材３６には、ねじ３８が貫通する貫通孔が形成されており、当該貫通孔に挿入されたねじ３８によって、接続部材３６が本体２０及び取付部材３２に固定される。その際、図４に示されるように接続部材３６の光軸Ｊ側の部分が、光源３０を本体２０に向けて押さえることにより、光源３０の光軸方向（ｚ軸方向）における位置を規制する。
【００４１】
接続部材３６の筐体は、例えば、ＰＢＴ、ポリカーボネートなどの樹脂材料を用いて形成することができる。また、接続部材３６の電極は、銅などの導電性部材を用いて形成することができる。
【００４２】
［１−６．反射部材］
反射部材４０は、図２に示されるように、光源３０からの光が入射される入射開口部４２０、及び、入射開口部４２０に入射された光を出射する出射開口部４３０を備える略筒状の部材である。本実施の形態では、反射部材４０は、光源３０からの光を光学部材５０に向けて反射させる。反射部材４０は、光源３０からの光が入射される側（ｚ軸方向負側）の端部から、当該光が出射される側の端部に向かって内径が漸次大きくなるように構成された略筒状の形状を有する。反射部材４０の内面４５０において、光源３０からの光が反射される。
【００４３】
図４に示されるように、反射部材４０の外面４６０には、取付部材３２の第二係止部３２４に係止される第二被係止部４４０が設けられている。第二被係止部４４０は、反射部材４０の外面側に立設された部材に設けられた孔である。第二被係止部４４０が第二係止部３２４に係止されることにより、反射部材４０は、取付部材３２に係止される。これにより、反射部材４０は、取付部材３２を介して本体２０に取り付けられる。
【００４４】
図２に示されるように、反射部材４０の光出射側の端部には、三つの第三係止部４１０が設けられている。第三係止部４１０は、光学部材５０を係止する爪状の部分である。
【００４５】
反射部材４０は、例えばポリブチレンテレフタレート（ＰＢＴ）など硬質の白色樹脂材料を用いて形成することができる。
【００４６】
［１−７．光学部材］
光学部材５０は、図４に示されるように、反射部材４０からの光が入射される光入射面５１０、及び、光入射面５１０に入射した光が出射される光出射面５２０を備える透光性の部材である。光学部材５０は、反射部材４０から入射された光の配光を制御して出射する機能を有してもよい。本実施の形態では、光学部材５０はフレネルレンズである。これにより、照明器具１は、出射光を集光して、スポット状の照明領域を形成することができる。
【００４７】
光学部材５０は、図２に示されるように、周縁部に、三つの第三被係止部５３０が設けられている。本実施の形態では、第三被係止部５３０は、光学部材５０の光出射面５２０に設けられた凹状の形状を有する部分である。光学部材５０の第三被係止部５３０が反射部材４０の第三係止部４１０に係止されることによって、光学部材５０が反射部材４０に係止される。これにより、光学部材５０は、反射部材４０及び取付部材３２を介して本体２０に取り付けられる。また、このように反射部材４０の光出射側の端部に光学部材５０が配置されることにより、反射部材４０から出射された光が、光学部材５０に効率よく入射される。
【００４８】
光学部材５０は、透光性材料を用いて形成されており、例えばＰＭＭＡ（アクリル）、ポリカーボネートなどの透明樹脂材料、又は、ガラス材料などの透明材料を用いて形成することができる。
【００４９】
［１−８．光制御部材］
光制御部材６０は、図４に示されるように、光学部材５０から出射された光が入射される入射開口部６１０及び入射開口部６１０に入射された光が出射される出射開口部６２０を有し、かつ、セード１０の内部であって、光学部材５０の光出射面５２０側に配置された略筒状の部材である。光制御部材６０は、図２に示されるように、セード１０とは別部材である。
【００５０】
光制御部材６０は、図２及び図４に示されるように、入射開口部６１０及び出射開口部６２０を光軸Ｊが通るように配置される。また、図４に示されるように、光制御部材６０の出射開口部６２０の外径は、セード１０の前方開口部１２０の内径と略等しい。これにより、セード１０の前方開口部１２０の出射光通過領域が光制御部材６０によって削減されることを抑制できる。また、セード１０と光制御部材６０との間からの出射光の漏れを抑制できる。
【００５１】
図４に示されるように、光制御部材６０は、セード１０の前方開口部１２０近傍に、出射開口部６２０が位置するように配置される。また、光制御部材６０の光軸Ｊ方向（ｚ軸方向）の長さは、光学部材５０の光出射面５２０から、セード１０の前方開口部１２０までの長さ程度である。これにより、光制御部材６０は、セード１０の内面のうち、光学部材５０の光出射面５２０近傍から、セード１０の前方開口部１２０近傍まで部分を覆うことができる。ここで、光制御部材６０の内面６３０（光軸Ｊ側の面）は、黒色のグレア抑制面である。このように、セード１０の前方開口部１２０付近の内面は、黒色のグレア抑制面である光制御部材６０の内面６３０で覆われる。これにより、セード１０の前方開口部１２０付近の内面におけるグレアが抑制される。
【００５２】
光制御部材６０の内面は、黒色のグレア抑制面であれば、特に限定されない。黒色のグレア抑制面は、例えば、黒色に塗装した面に艶消し処理を施すことにより実現できる。また、黒色のグレア抑制面は、黒色に塗装した面、又は、黒色の部材からなる面に、シボ加工を施すことによっても実現できる。さらに、光制御部材６０の内面６３０におけるグレアをさらに抑制するために、図４などに示されるように、光制御部材６０の内面６３０に段差部（バッフル）６５０を設けてもよい。
【００５３】
光制御部材６０は、図２及び図４に示されるように、外周に第一被係止部６６０を備える。光制御部材６０は、第一被係止部６６０が第一係止部１４０に係止されることにより、セード１０の内部に保持される。本実施の形態では、第一被係止部６６０は、凸状の形状を有し、凹状の形状を有する第一係止部１４０に係止される。このように、光制御部材６０は、セード１０の前方開口部１２０に挿入するだけで簡単に取り付けることができる。したがって、本実施の形態に係る照明器具１では、セード１０の内面及び外面の塗装を塗り分ける場合より、セード１０の内面に黒色のグレア抑制面を容易に形成することができる。
【００５４】
光制御部材６０は、図４に示されるように、内面６３０の入射開口部６１０付近に、外付部材を保持するための突起部６１４を備える。本実施の形態では、光制御部材６０は、六つの突起部６１４を備える。
【００５５】
光制御部材６０は、例えば、ポリカーボネート、ＰＢＴなどの樹脂材料を用いて形成することができる。このように、光制御部材６０を、樹脂材料を用いて形成することにより、光制御部材６０を容易に、かつ、低コストで製造することができる。
【００５６】
［１−９．アーム］
アーム７０は、一端部７３が電源ボックス９０に接続され、かつ、他端部７４が灯体５に接続される部材である。本実施の形態では、図３に示されるように、アーム７０は、アーム本体７２と一端部７３及び他端部７４とを備える。他端部７４は、互いに逆方向に突出した略円柱状の回転軸部を有する。本実施の形態では、他端部７４は、光軸Ｊ及びアーム７０の長手方向に垂直な方向に延びる略円柱状の回転軸部を備える。アーム７０の他端部７４が、板ばね８０と本体２０のアーム支持部２４２とで挟まれることによって、アーム７０は本体２０に回転自在に取り付けられる。以下、アーム７０の詳細な構成について、図５を用いて説明する。
【００５７】
図５に示されるように、アーム７０の内部には、アーム７０の長手方向に挿通孔７６が形成されている。挿通孔７６には、リード線９２が挿入され、リード線９２によって電源ボックス９０から光源３０に電力が供給される。このように、リード線９２が外部に露出しないため、リード線９２が損傷することが抑制される。また、照明器具１の外部からリード線９２が見えないため、デザイン的にも好ましい。
【００５８】
アーム７０は、金属材料で形成される。本実施の形態では、アーム７０は、例えばアルミダイカスト工程を経て形成される。
【００５９】
［１−１０．板ばね］
板ばね８０は、アーム７０を本体２０に対して回転自在に取り付けるための弾性部材である。本実施の形態では、板ばね８０は、図３に示されるように略Ｃ字型の形状を有しており、本体２０とともに、アーム７０の他端部７４を挟んだ状態で、ねじ８６及び８８によって本体２０に固定される。これにより、アーム７０が本体２０に取り付けられる。
【００６０】
アーム７０の他端部７４は、板ばね８０と本体２０とで挟まれた状態であるため、アーム７０は、他端部７４を中心として本体２０に対して回転自在である。また、アーム７０を回転するために要するトルクは、板ばね８０を本体２０に固定するばね８８の捻じ込み量の調整により調整可能である。ねじ８８は、照明器具１を組み立てた状態で、セード１０の側方開口部１３０からドライバーによって調整できる位置に配置される。これにより、ユーザが、照明器具１を分解することなく、アーム７０を回転するために要するトルクを調整できる。
【００６１】
板ばね８０は、金属材料で形成される。本実施の形態では、板ばね８０は、例えば鉄で形成される。
【００６２】
［１−１１．電源ボックス］
図２及び図３に示される電源ボックス９０は、光源３０に電力を供給する電源回路が内蔵された筐体である。本実施の形態では、電源ボックス９０に内蔵された電源回路は、電源ボックス９０の外部から供給された交流電力を直流電力に変換し、当該直流電力を、リード線９２を介して光源３０のＬＥＤ３０４に供給する。
【００６３】
電源ボックス９０の外壁部分は、金属材料、樹脂材料などから形成される。本実施の形態では、例えば、当該外壁部分は、アルミニウムで形成される。
【００６４】
［２．光漏れ抑制構成］
次に、本実施の形態に係る照明器具１の光漏れ抑制構成について図７を用いて説明する。
【００６５】
図７は、図４の一部を拡大した要部断面図である。図７では、図４の破線枠内が拡大されている。
【００６６】
図７に示されるように、本実施の形態では、反射部材４０の入射開口部４２０と、光源３０との間には隙間が設けられている。これにより、反射部材４０が、光源３０と接触することによって、光源３０が破損することが抑制される。また、樹脂材料などで形成された反射部材４０が光源３０において発生する熱によって変形、又は、劣化することが抑制される。
【００６７】
光源３０から出射された光の一部は、入射開口部４２０と光源３０との隙間から、反射部材４０の外面４６０側に漏れる。特に、本実施の形態では、光源３０においてＣＯＢ型ＬＥＤが用いられており、各ＬＥＤチップから出射された青色の光を封止樹脂内の蛍光体によって一部を黄色の光に変換する。これにより、青色と黄色とを混合させて白色光を得ている。このようなＣＯＢ型ＬＥＤでは、光軸Ｊに対して光の出射方向が傾くほど、光が蛍光体を含む封止樹脂を通る距離が長くなる。ここで、上記隙間から漏れる光は、光軸Ｊに対して略９０度傾いて出射される光であるため、光が封止樹脂を通る距離が長く、ＬＥＤチップから出射された光のうち、黄色の光に変換される割合が大きくなる。したがって、当該隙間から漏れる光は、黄色に近い光色を有する。このため、当該隙間からの漏れ光が、照明器具１の外部に漏れる場合には、当該漏れ光が本来出射されるべき白色光と異なる光色を有するため、当該漏れ光が目立ち、空間演出上、特に問題となる。
【００６８】
本実施の形態では、本体２０の取付部２１０に立設され、光源３０及び入射開口部４２０の周囲を囲む遮光壁部２２０が設けられており、遮光壁部２２０によって、反射部材４０の外面４６０側に漏れた光が遮られる。このため、本実施の形態に係る照明器具１では、反射部材４０の外面４６０側に漏れた光が反射部材４０とセード１０との間から、前方（ｚ軸方向正側）に漏れることが抑制される。
【００６９】
本実施の形態では、図７に示されるように、光軸Ｊ方向において、遮光壁部２２０の先端２２３は、入射開口部４２０より、光源３０から離れた位置に配置されている。これにより、光源３０から出射されて、入射開口部４２０と光源３０との隙間から反射部材４０の外面４６０側に漏れた光の大部分を遮光壁部２２０によって遮ることができる。なお、本実施の形態では、遮光壁部２２０の先端２２３と反射部材４０の外面４６０との間には、隙間が設けられているが、当該隙間が狭い方が、光漏れをより一層抑制することができる。例えば、当該隙間は、１ｍｍ以下であることが好ましい。本実施の形態では、本体２０及び反射部材４０の製造誤差などを考慮して、当該隙間は、０．３ｍｍ程度に設定されている。なお、反射部材４０の外面４６０と遮光壁部２２０の先端２２３とを接触させてもよい。
【００７０】
また、本実施の形態では、図７に示されるように、遮光壁部２２０の先端面２２２は、反射部材４０の外面４６０の形状に沿って傾斜している。これにより、遮光壁部２２０と外面４６０との隙間を光が通過し難くなるため、当該隙間における光漏れをさらに抑制することができる。
【００７１】
また、本実施の形態では、本体２０と遮光壁部２２０とは、一体的に形成されている。これにより、本体２０と遮光壁部２２０との間に隙間が形成されないため、遮光壁部２２０とセード１０との間の空間への光漏れを抑制することができる。
【００７２】
また、本実施の形態では、図７に示されるように、遮光壁部２２０は、鍔部２３０より、光源３０寄りに配置されている。つまり、遮光壁部２２０は、本体２０の鍔部２３０とセード１０の固定部１５０との接続部より光源３０寄りに配置されている。これにより、当該接続部から、本体２０の後方（ｚ軸方向負側）に光が漏れることを抑制できる。
【００７３】
［３．効果など］
以上のように、本実施の形態に係る照明器具１は、略筒状のセード１０と、セード１０の内部に配置される光源３０と、光源３０が取り付けられる取付部２１０を有し、セード１０の内部空間を仕切る本体２０とを備える。また、照明器具１は、光源３０からの光が入射される入射開口部４２０、及び、入射開口部４２０に入射された光を出射する出射開口部４３０を備える略筒状の反射部材４０とを備える。照明器具１は、さらに、取付部２１０に立設され、光源３０及び入射開口部４２０の周囲を囲む遮光壁部２２０を備える。
【００７４】
これにより、光源３０から出射されて、入射開口部４２０と光源３０との隙間から反射部材４０の外面４６０側に漏れた光の大部分を遮光壁部２２０によって遮ることができる。したがって、本体２０の後方（ｚ軸方向負側）、及び、反射部材４０とセード１０との間からの光漏れを抑制できる。
【００７５】
また、本実施の形態に係る照明器具１において、光源３０の光軸Ｊ方向において、遮光壁部２２０の先端２２３は、入射開口部４２０より、光源３０から離れた位置に配置されてもよい。
【００７６】
これにより、光源３０から出射されて、入射開口部４２０と光源３０との隙間から反射部材４０の外面４６０側に漏れた光の大部分を遮光壁部２２０によって遮ることができるため、光漏れをさらに抑制することができる。
【００７７】
また、本実施の形態に係る照明器具１において、遮光壁部２２０の先端面２２２は、反射部材４０の外面４６０の形状に沿って傾斜していてもよい。
【００７８】
これにより、
また、本実施の形態に係る照明器具１において、遮光壁部２２０は、本体２０とセード１０との接続部より光源３０寄りに配置されていてもよい。
【００７９】
これにより、当該接続部から、本体２０の後方（ｚ軸方向負側）に光が漏れることを抑制できる。
【００８０】
また、本実施の形態に係る照明器具１において、本体２０と遮光壁部２２０とは、一体的に形成されていてもよい。
【００８１】
これにより、本体２０と遮光壁部２２０との間に隙間が形成されないため、遮光壁部２２０と反射部材４０の外面４６０との間からの光漏れを抑制することができる。
【００８２】
また、本実施の形態に係る照明器具１において、遮光壁部２２０の先端２２３と反射部材４０の外面４６０との距離は、１ｍｍ以下であってもよい。
【００８３】
これにより、遮光壁部２２０の先端２２３と反射部材４０の外面４６０との隙間からの光漏れを抑制することができる。
【００８４】
（変形例など）
以上、本発明に係る照明器具１について、実施の形態に基づいて説明したが、本発明は、上記の実施の形態に限定されるものではない。
【００８５】
例えば、上記実施の形態では、遮光壁部２２０は、本体２０と一体的に形成されたが、遮光壁部２２０は、本体２０と別体でもよい。遮光壁部２２０と本体２０との間の光漏れを十分に抑制できる構成を備えればよい。
【００８６】
また、上記実施の形態では、遮光壁部２２０の先端面２２２は、反射部材４０の外面４６０の形状に沿って傾斜しているが、必ずしもそのように傾斜していなくてもよい。遮光壁部２２０と外面４６０との間における光漏れを十分に抑制できる構成であればよい。
【００８７】
また、上記実施の形態では、遮光壁部２２０は、本体２０とセード１０との接続部より光源３０寄りに配置されているが、当該接続部より、光源３０から離れた位置に配置されてもよい。遮光壁部２２０によって光漏れを抑制できる構成であればよい。
【００８８】
また、上記実施の形態では、セード１０と本体２０とは、別体であったが、一体的に形成されていてもよい。これにより、照明器具１からの光漏れをさらに抑制することができる。
【００８９】
また、上記実施の形態では、反射部材４０は、筒状であったが、反射部材４０は、必ずしも完全な筒状の形状を有さなくてもよい。例えば、反射部材４０は、筒状の形状の一部が切り欠かれた略筒状の形状を有してもよい。
【００９０】
また、上記実施の形態では、反射部材４０は、全体が樹脂材料で形成されているが、反射部材４０の内面４５０にアルミニウムなどの金属膜を設けてもよい。これにより、反射部材４０の内面４５０における反射率を向上させることができる。また、反射部材４０と光源３０との間には、隙間が設けられているため、金属膜と光源３０との絶縁も確保される。
【００９１】
また、上記実施の形態では、光学部材５０は、フレネルレンズであったが、光学部材５０はこれに限定されない。光学部材５０は、例えば、ドーム型レンズ、平板（配光制御をしないカバー）などでもよい。
【００９２】
また、上記実施の形態においては、光源３０において、ＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子、又は、固体発光素子以外の他の光源を用いてもよい。
【００９３】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００９４】
１  照明器具
１０  セード
２０  本体
３０  光源
４０  反射部材
２１０  取付部
２２０  遮光壁部
２２２  先端面
２２３  先端
４２０  入射開口部
４３０  出射開口部
【図１】
0006575904.tif 000002
【図２】
0006575904.tif 000003
【図３】
0006575904.tif 000004
【図４】
0006575904.tif 000005
【図５】
0006575904.tif 000006
【図６】
0006575904.tif 000007
【図７】
0006575904.tif 000008